(57)【特許請求の範囲】
【請求項１】
第１の電極と第２の電極とを有する放電灯を駆動する放電灯駆動装置であって、
前記第１の電極に接続され、前記第１の電極に第１の高周波交流電圧を印加する第１の駆動部と、
前記第２の電極に接続され、前記第２の電極に第２の高周波交流電圧を印加する第２の駆動部と、
前記放電灯内に形成されるべき明暗を示すコントラスト情報が入力される入力部と、
前記第１の高周波交流電圧及び前記第２の高周波交流電圧を調整して前記放電灯内に前記明暗を形成するために、前記入力部に入力された前記コントラスト情報に基づいて前記第１の駆動部及び前記第２の駆動部を制御する制御部と、
を備え、
前記制御部は、前記第１の高周波交流電圧の位相と前記第２の高周波交流電圧の位相とが同位相、かつ、前記第１の高周波交流電圧の波高値と前記第２の高周波交流電圧の波高値とが異なる波高値となるように前記第１の駆動部及び前記第２の駆動部を制御することを特徴とする放電灯点灯装置。
【請求項２】
第１の電極と第２の電極とを有する放電灯を駆動する放電灯駆動装置であって、
前記第１の電極に接続され、前記第１の電極に第１の高周波交流電圧を印加する第１の駆動部と、
前記第２の電極に接続され、前記第２の電極に第２の高周波交流電圧を印加する第２の駆動部と、
前記放電灯内に形成されるべき明暗を示すコントラスト情報が入力される入力部と、
前記第１の高周波交流電圧及び前記第２の高周波交流電圧を調整して前記放電灯内に前記明暗を形成するために、前記入力部に入力された前記コントラスト情報に基づいて前記第１の駆動部及び前記第２の駆動部を制御する制御部と、
を備え、
前記制御部は、前記第１の高周波交流電圧の位相と前記第２の高周波交流電圧の位相とが逆相、かつ、前記第１の高周波交流電圧の波高値と前記第２の高周波交流電圧の波高値とが異なる波高値となるように前記第１の駆動部及び前記第２の駆動部を制御することを特徴とする放電灯点灯装置。
【請求項３】
前記第１の駆動部及び前記第２の駆動部は、複数個の放電灯に対して同一の前記第１の高周波交流電圧及び同一の前記第２の高周波交流電圧を印加することを特徴とする請求項１又は２に記載の放電灯点灯装置。
【請求項４】
前記第１の駆動部と前記第２の駆動部のペアを複数組備え、
複数個の放電灯を点灯するために、前記制御部は、前記各ペアを個別に制御することを特徴とする請求項１又は２に記載の放電灯点灯装置。
【請求項５】
前記制御部は、更に、前記放電灯をオン・オフするためのオン・オフ情報に基づいて前記各ペアを制御することを特徴とする請求項４に記載の放電灯点灯装置。
【請求項６】
前記放電灯をディスプレイと組み合わせて使用する場合に、少なくとも４個の前記ペアを備え、
前記放電灯により照射される前記ディスプレイのうちの少なくとも４隅は、異なる前記放電灯により照射されることを特徴とする請求項４又は５のいずれか一項に記載の放電灯点灯装置。
【請求項７】
前記放電灯をディスプレイと組み合わせて使用する場合に、前記入力部に入力される前記コントラスト情報は、前記ディスプレイに表示すべき画像情報に関連したデータであることを特徴とする請求項１から５のいずれか一項に記載の放電灯点灯装置。
【発明の詳細な説明】
【技術分野】
【０００１】
本発明は、放電灯を点灯させるための放電灯点灯装置に関する。
【背景技術】
【０００２】
パーソナルコンピュータ等のディスプレイには液晶が使用されることがある。その場合、液晶自体は発光しないので、ディスプレイに画像を表示するためには、液晶板の背後から光を照射する必要がある。照射のためのバックライトとして、冷陰極管等の放電灯が使用される。
【特許文献１】特開２００２−８２３２７号公報（第１３〜１５頁、図２７、図３３、図３９）
【発明の開示】
【発明が解決しようとする課題】
【０００３】
ところで、液晶は、光を遮断する方向に並んでいる場合であっても、完全に光を遮断することは難しい。従って、一様な明るさのバックライトを用いる場合には、光を遮断すべき部分でも光がもれてしまい、ディスプレイ全体としてのコントラストが低下してしまうことがある。また、その場合、光を遮断すべき部分に対してもバックライトを照射しているため、消費電力を浪費していることとなる。
【０００４】
そこで、本発明は、放電灯の輝度を部分的に調整することのできる放電灯点灯装置を提供することを目的としている。
【課題を解決するための手段】
【０００５】
上記目的を達成するために、本発明は、第１の電極と第２の電極とを有する放電灯を駆動する放電灯駆動装置であって、第１の電極に接続され、第１の電極に第１の高周波交流電圧を印加する第１の駆動部と、第２の電極に接続され、第２の電極に第２の高周波交流電圧を印加する第２の駆動部と、放電灯内に形成されるべき明暗を示すコントラスト情報が入力される入力部と、第１の高周波交流電圧及び第２の高周波交流電圧を調整して放電灯内に明暗を形成するために、入力部に入力されたコントラスト情報に基づいて第１の駆動部及び第２の駆動部を制御する制御部と、を備え、前記制御部は、前記第１の高周波交流電圧の位相と前記第２の高周波交流電圧の位相とが同位相、かつ、前記第１の高周波交流電圧の波高値と前記第２の高周波交流電圧の波高値とが異なる波高値となるように前記第１の駆動部及び前記第２の駆動部を制御することを特徴とする放電灯点灯装置を提供している。
【０００６】
入力部において放電灯の点灯が指示されると、制御部によって、第１の駆動部から第１の高周波交流電圧が放電灯の第１の電極に印加され、第２の駆動部から第２の高周波交流電圧が放電灯の第２の電極に印加される。これにより、第１の電極及び第２の電極は、電子を放電するので、放電灯が発光する。このとき、第１の高周波交流電圧及び第２の高周波交流電圧は、コントラスト情報に基づいて調整されているので、放電灯内にはコントラスト情報に基づいた明暗が形成される。この場合には、放電灯内の放電灯の両端部以外の位置に暗部が形成される。
また、本発明の別の観点によれば、第１の電極と第２の電極とを有する放電灯を駆動する放電灯駆動装置であって、第１の電極に接続され、第１の電極に第１の高周波交流電圧を印加する第１の駆動部と、第２の電極に接続され、第２の電極に第２の高周波交流電圧を印加する第２の駆動部と、放電灯内に形成されるべき明暗を示すコントラスト情報が入力される入力部と、第１の高周波交流電圧及び第２の高周波交流電圧を調整して放電灯内に明暗を形成するために、入力部に入力されたコントラスト情報に基づいて第１の駆動部及び第２の駆動部を制御する制御部と、を備え、前記制御部は、前記第１の高周波交流電圧の位相と前記第２の高周波交流電圧の位相とが逆相、かつ、前記第１の高周波交流電圧の波高値と前記第２の高周波交流電圧の波高値とが異なる波高値となるように前記第１の駆動部及び前記第２の駆動部を制御することを特徴とする放電灯点灯装置を提供している。
入力部において放電灯の点灯が指示されると、制御部によって、第１の駆動部から第１の高周波交流電圧が放電灯の第１の電極に印加され、第２の駆動部から第２の高周波交流電圧が放電灯の第２の電極に印加される。これにより、第１の電極及び第２の電極は、電子を放電するので、放電灯が発光する。このとき、第１の高周波交流電圧及び第２の高周波交流電圧は、コントラスト情報に基づいて調整されているので、放電灯内にはコントラスト情報に基づいた明暗が形成される。この場合には、放電灯内の放電灯の一方の端部から連続する暗部が形成される。
【０００９】
好ましくは、第１の駆動部及び第２の駆動部は、複数個の放電灯に対して同一の第１の高周波交流電圧及び同一の第２の高周波交流電圧を印加する。このような構成によれば、一組の第１の駆動部及び第２の駆動部を制御することで、複数の放電灯に一様な明暗が形成される。
【００１０】
好ましくは、放電灯点灯装置は、第１の駆動部と第２の駆動部のペアを複数組備え、複数個の放電灯を点灯するために、制御部は、各ペアを個別に制御する。このような構成によれば、複数個の放電灯に個別に暗部を形成することができるので、ディスプレイ等の所望の位置のコントラストを更に上げることができる。
【００１１】
好ましくは、制御部は、更に、放電灯をオン・オフするためのオン・オフ情報に基づいて各ペアを制御する。このような構成によれば、放電灯の点灯及び消灯も、コントラストを上げるために利用することができる。
【００１２】
好ましくは、放電灯点灯装置は、放電灯をディスプレイと組み合わせて使用する場合に、少なくとも４個のペアを備え、放電灯により照射されるディスプレイのうちの少なくとも４隅は、異なる前記放電灯により照射される。このような構成によれば、例えば、第１の駆動部及び第２の駆動部のペアを４組備えている場合には、画面を４分割してそれぞれの放電灯に明暗を形成することができるので、ディスプレイ等のコントラストを更に上げることができる。
【００１３】
好ましくは、入力部に入力されるコントラスト情報は、ディスプレイに表示すべき画像情報に関連したデータである。このような構成によれば、画像情報に基づいてディスプレイ等のコントラストを上げることができる。
【発明の効果】
【００１４】
本発明の放電灯点灯装置は、放電灯の輝度を部分的に調整することにより、放電灯が照射するディスプレイ等のコントラストを上げることができる。
【発明を実施するための最良の形態】
【００１５】
本発明の第１の実施の形態を、図面を参照しながら以下に説明する。図１に、本実施の形態による放電灯点灯装置の構成を示す。放電灯点灯装置１０は、ｎ個（ｎは２以上の自然数）の放電灯ユニット１２と、各放電灯ユニット１２を制御する制御部１４と、入力部１６とを有する。本実施の形態の放電灯点灯装置は、液晶等からなる画像表示パネルを備えた表示装置のバックライトとして使用でき、画像表示パネルは、放電灯が発する光によって照射される。
【００１６】
放電灯ユニット１２は、ユニットに装着された放電灯１８を点灯するための装置である。図２は、放電灯１８を説明する図である。放電灯１８は、冷陰極管からなる。詳細には、内部に蛍光体が塗布された細長いガラス管２０と、ガラス管２０内部の両端にそれぞれ設けられた電極２２ａ，２２ｂとからなり、ガラス管２０の内部に低圧の水銀が封止されている。なお、本実施の形態の放電灯点灯装置により点灯される放電灯は、図２に示す直管形に限らず、Ｌ字形、Ｗ字形、コの字形などの適宜の形状を採るものである。また、放電灯には、内部にキセノンなどの不活性ガスが封入されているものも含まれる。
【００１７】
放電灯ユニット１２は、第１の駆動部３０と、第２の駆動部３２とを有する。第１の駆動部３０及び第２の駆動部３２は、共にインバータ回路であり、制御部１４によって制御される。第１の駆動部３０は、放電灯１８の一方の電極２２ａに接続される。第１の駆動部３０には、電源電圧Ｖｉｎが供給される。第１の駆動部３０は、入力された電源電圧Ｖｉｎを第１の高周波交流電圧Ｖｏｕｔ１に変換し、放電灯１８の一方の電極２２ａに印加する。第１の高周波交流電圧Ｖｏｕｔ１は、例えば、実効電圧が５００〜１０００Ｖｒｍｓであり、周波数は３０〜１００ｋＨｚ、好ましくは６０ｋＨｚである。なお、本実施の形態において、電源電圧Ｖｉｎは直流であるが、電源電圧Ｖｉｎは、交流でも良い。この場合は、第１の駆動部３０は、コンバータ回路とインバータ回路とを備え、交流をコンバータ回路により直流とし、その直流をインバータ回路で再び交流にすれば良い。
【００１８】
第２の駆動部３２は、放電灯１８の一方の電極２２ｂに接続される。また、第２の駆動部３２にも、電源電圧Ｖｉｎが供給される。第２の駆動部３２は、入力された電源電圧Ｖｉｎを第２の高周波交流電圧Ｖｏｕｔ２に変換し、放電灯１８の他方の電極２２ｂに印加する。本実施の形態において、第２の高周波交流電圧Ｖｏｕｔ２は、第１の高周波交流電圧Ｖｏｕｔ１と同一の周波数を有する。また、電源電圧Ｖｉｎが交流の場合は、第２の駆動部３２にコンバータ回路とインバータ回路とを備え、交流をコンバータ回路により直流とし、その直流をインバータ回路で再び交流にすれば良い。
【００１９】
制御部１４は、各放電灯ユニット１２に接続され、入力部１６からの出力に基づき、第１および第２の高周波交流電圧Ｖｏｕｔ１、Ｖｏｕｔ２の発振周波数、波高値及びデューティ比を、各放電灯ユニット１２毎に制御する。制御部１４は、図示しないが、発振器や、位相シフト回路を備えている。入力部１６は、通常の点灯のオン・オフスイッチやキーボードの他に、コントラスト種別切り換えスイッチ（図示せず）及びコントラスト位置調整つまみ（図示せず）を有する。コントラスト種別切り換えスイッチは、後述する制御（Ａ）又は制御（Ｂ）を選択するためのスイッチである。コントラスト位置調整つまみは、コントラストを調整する位置を選択するためのつまみである。
【００２０】
次に、放電灯装置１０の動作について説明する。例えば、ユーザが、入力部１６において放電灯１８の点灯を指示すると、制御部１４は、駆動部３０に第１の高周波交流電圧Ｖｏｕｔ１を生成させ、駆動部３２に第２の高周波交流電圧Ｖｏｕｔ２を生成させる。なお、ここでは、コントラスト種別切り換えスイッチ及びコントラスト位置調整つまみは使用されていない。第１の高周波交流電圧Ｖｏｕｔ１は電極２２ａに印加され、第２の高周波交流電圧Ｖｏｕｔ２は電極２２ｂに印加される。電極２２ａ及び電極２２ｂは、電圧が印加されると電子を放電する。この電子の放電により、放電灯１８が発光することとなる。通常、制御部１４は、第１の高周波交流電圧Ｖｏｕｔ１及び第２の高周波交流電圧Ｖｏｕｔ２を互いに逆相になるように、かつ、同じ波高値となるように制御する。これにより、放電灯を均一に発光させることができる。
【００２１】
一方、本実施の形態による放電灯点灯装置１０は、放電灯１８が発する光を部分的に調整することを目的としている。そこで、本実施の形態では、制御部１４が、上記とは異なる制御を行う。具体的には、第１の高周波交流電圧Ｖｏｕｔ１と第２の高周波交流電圧Ｖｏｕｔ２とを、（Ａ）同相、又は、（Ｂ）逆相かつ異なる波高値、となるように変化させる。以下で、それぞれの制御について説明する。
【００２２】
まず、（Ａ）第１の高周波交流電圧Ｖｏｕｔ１と第２の高周波交流電圧Ｖｏｕｔ２とが同相、の場合について、図３（ａ）及び図３（ｂ）を参照しながら説明する。ここでは、コントラスト種別切り換えスイッチで、制御（Ａ）が選択される。なお、（Ａ）の制御は、一旦、通常通りに、第１の高周波交流電圧Ｖｏｕｔ１及び第２の高周波交流電圧Ｖｏｕｔ２を、逆相かつ同じ波高値にした後に行われる。図３（ａ）は、第１の高周波交流電圧Ｖｏｕｔ１と第２の高周波交流電圧Ｖｏｕｔ２の波高値が同一の場合を示した図であり、図３（ｂ）は、第１の高周波交流電圧Ｖｏｕｔ１の波高値が、第２の高周波交流電圧Ｖｏｕｔ２の波高値よりも大きい場合を示した図である。この波高値の大きさの違いは、コントラスト位置調整つまみによって調整される。
【００２３】
図４（ａ）は、第１の高周波交流電圧Ｖｏｕｔ１と第２の高周波交流電圧Ｖｏｕｔ２とを同相、かつ、同波高値とした場合（図３（ａ））の放電灯１８の点灯状態を示した図である。図４（ａ）では、放電灯１８の中心部近傍に暗部Ａ０が形成されている。本実施の形態において、暗部とは、周囲よりも輝度の落ちた部分のことを意味する。
【００２４】
図４（ｂ）は、第１の高周波交流電圧Ｖｏｕｔ１と第２の高周波交流電圧Ｖｏｕｔ２とを同相、かつ、第１の高周波交流電圧Ｖｏｕｔ１の波高値を第２の高周波交流電圧Ｖｏｕｔ２の波高値よりも大きくした場合（図３（ｂ））の放電灯１８の点灯状態を示した図である。図４（ｂ）では、図４（ａ）の場合と比べて電極２２ｂ側に、暗部Ａ１が形成されている。
【００２５】
これらの現象が起きる原因について説明する。（Ａ）の制御を行う前には、各電極から発生する電圧の極性が異なるため、各電極間に電位差が生じ、電界が発生する。電子は、この電界の力により電極２２ａと電極２２ｂとの間を移動している。ここで（Ａ）の制御を行うと、各電極間には電位差が生じなくなる。その結果、電子は、移動を中止するようにも考えられる。しかし、放電管１８とシャーシ等の外部の部材との間には、浮遊容量が存在する。第１の高周波交流電圧Ｖｏｕｔ１及び第２の高周波交流電圧Ｖｏｕｔ２は、この浮遊容量の影響により、相対する電極に近づくに従って減衰する。この減衰により放電管１８内に電位差が生じているため、電界も生じることとなる。その結果、電子は、電界の力により引き続き移動を続けることとなる。しかしながら、各電極から生じた電界は、相対する方向へ向かうので、各電界の力が等しくなった点で電界同士が相殺し合う。その結果、電子は移動することができなくなり、放電灯１８には暗部が形成されることとなる。
【００２６】
従って、第１の高周波交流電圧Ｖｏｕｔ１と第２の高周波交流電圧Ｖｏｕｔ２とが同一の波高値である場合には、電界の力も等しくなるため、放電灯１８の中心部において暗部Ａ０が形成される（図４（ａ））。一方、例えば、第１の高周波交流電圧Ｖｏｕｔ１の波高値が第２の高周波交流電圧Ｖｏｕｔ２の波高値よりも大きい場合には、第１の高周波交流電圧Ｖｏｕｔ１により生じる電界の方が大きいため、放電灯１８の中心部よりも電極２２ｂ側に暗部Ａ１が形成されることとなる（図４（ｂ））。
【００２７】
このように、本実施の形態による放電灯点灯装置１０は、暗部を形成することにより、放電灯１８内の明暗を部分的に調整することができるので、ディスプレイのコントラストを上げることができる。本実施の形態では、放電灯１８は、図１に示したように複数個存在し、各放電灯ユニット１２は、制御部１４によって個別に制御されているので、図５に示すように、各放電灯１８にそれぞれ独立して暗部Ａ２〜Ａ５を形成することができる。これにより、放電灯１８によって照射されるディスプレイ上の所望の位置のコントラストを上げることができる。
【００２８】
また、放電灯ユニット１２は、図５のように単に並列に並べるのではなく、図６に示すように、直列と並列とを組み合わせて並べても良い。このような構成にすれば、複数の放電灯１８によって照射されるディスプレイのより多くの位置に暗部Ａ６〜Ａ９を形成することができる。さらに、本実施の形態のように各放電ユニット１２を個別に制御する場合には、各放電灯１８のオン・オフ自体によっても明暗を作り出すことができるので、上記（Ａ）の制御と組み合わせることにより、ディスプレイのコントラストを一層上げることができる。
【００２９】
また、制御部１４は、各放電灯ユニット１２を一律に制御する構成であっても良い。その場合は、図７に示すように、暗部Ａ１０〜Ａ１３は、ディスプレイに直線状に形成されることとなる。更に、放電灯ユニット１２は、１つでも良い。その場合は、何らかの表示装置やインテリア等に利用が可能である。
【００３０】
次に、（Ｂ）第１の高周波交流電圧Ｖｏｕｔ１と第２の高周波交流電圧Ｖｏｕｔ２とが、逆相、かつ、異なる波高値の場合について、図８（ａ）及び図８（ｂ）を参照しながら説明する。ここでは、コントラスト種別切り換えスイッチで、制御（Ｂ）が選択される。図８（ａ）は、第１の高周波交流電圧Ｖｏｕｔ１の波高値が第２の高周波交流電圧Ｖｏｕｔ２の波高値よりも大きい場合を示した図であり、図８（ｂ）は、第２の高周波交流電圧Ｖｏｕｔ２の波高値が第１の高周波交流電圧Ｖｏｕｔ１の波高値よりも大きい場合を示した図である。この波高値の大きさの違いは、コントラスト位置調整つまみによって調整される。
【００３１】
図９（ａ）は、第１の高周波交流電圧Ｖｏｕｔ１の波高値が第２の高周波交流電圧Ｖｏｕｔ２の波高値よりも大きい場合（図８（ａ））の放電灯１８の点灯状態を示した図である。図９（ａ）では、放電灯１８の電極２２ｂ側に暗部Ａ１４が形成されている。
【００３２】
図９（ｂ）は、第２の高周波交流電圧Ｖｏｕｔ２の波高値が第１の高周波交流電圧Ｖｏｕｔ１の波高値よりも大きい場合（図８（ｂ））の放電灯１８の点灯状態を示した図である。図９（ｂ）では、放電灯１８の電極２２ａ側に暗部Ａ１５が形成されている。
【００３３】
これらの現象が起きる原因について説明する。各電極から発生する電圧の極性が異なる場合には、電子は、電極間に発生した電界の力により電極２２ａと電極２２ｂとの間を移動する。この電界は、第１の高周波交流電圧Ｖｏｕｔ１と第２の高周波交流電圧Ｖｏｕｔ２とが逆相、かつ、同波高値の場合に最も強くなる。従って、第１の高周波交流電圧Ｖｏｕｔ１の波高値と第２の高周波交流電圧Ｖｏｕｔ２の波高値とが異なる場合には、最大時よりも電界が弱まってしまう。その結果、電圧の波高値の高い方の電極から発射された電子は、他方の電極に辿り着くことができず、他方の電極側が暗くなる。そのため、第１の高周波交流電圧Ｖｏｕｔ１と第２の高周波交流電圧Ｖｏｕｔ２との波高値差が大きくなればなるほど暗部が多くなることとなる。例えば、第２の高周波交流電圧Ｖｏｕｔ２をゼロボルトとし（この時の放電灯の輝度は、初期値の８０％程度に低下している）、第１の高周波交流電圧Ｖｏｕｔ１を徐々に低下させてゆくと、暗部が電極２２ａ側に広がってゆくこととなる。
【００３４】
このように、本実施の形態による放電灯点灯装置１０は、暗部を形成することにより、放電灯１８内の明暗を部分的に調整することができるので、ディスプレイのコントラストを上げることができる。本実施の形態では、放電灯１８は、図１に示したように複数個存在し、各放電灯ユニット１２は、制御部１４によって個別に制御されているので、図１０に示すように、各放電灯１８にそれぞれ独立して暗部Ａ１６〜Ａ１９を形成することができる。これにより、放電灯１８によって照射されるディスプレイ上の所望の位置のコントラストあげることができる。
【００３５】
また、放電灯ユニット１２は、図１０のように単に並列に並べるのではなく、図１１に示すように、直列と並列とを組み合わせて並べても良い。このような構成にすれば、複数の放電灯１８によって照射されるディスプレイのより多くの位置に暗部Ａ２０〜Ａ２３を形成することができる。さらに、本実施の形態のように各放電ユニット１２を個別に制御する場合には、各放電灯１８のオン・オフ自体によっても明暗を作り出すことができるので、上記（Ｂ）の制御と組み合わせることにより、ディスプレイのコントラストを一層上げることができる。
【００３６】
また、制御部１４は、各放電灯ユニット１２を一律に制御する構成であっても良い。その場合は、図１２に示すように、暗部Ａ２４〜Ａ２７は、ディスプレイの片側に四角上に形成されることとなる。更に、放電灯ユニット１２は、１つでも良い。その場合は、何らかの表示装置やインテリア等に利用が可能である。
【００３７】
このような構成の放電点灯装置は、画像情報に連動させて暗部を形成することで、より効果的にディスプレイのコントラストをあげることができる。例えば、ＤＶＤやゲーム等の場合には、予め画像情報が分かっている。従って、ある時間のある部分の画像のコントラストを上げたい場合には、予めそのコントラスト情報をＤＶＤ等に記憶させておけば、そのコントラスト情報に応じて制御部１４がＶＯＵＴ１及びＶＯＵＴ２を制御することで、よりコントラストの高い画像を提供することができる。この場合、制御部１４は、ＤＶＤ等に記憶されたコントラスト情報を自動的に読み取り実行する機能を備えている必要がある。
【００３８】
更に、上記実施例では、放電灯点灯装置の構成を中心に記載したが、本発明の放電灯点灯装置は、画像表示装置に限らず、光の照射を必要とする適宜の装置に対して使用することができる。
【図面の簡単な説明】
【００３９】
【図１】本発明に係る放電灯点灯装置を示すブロック図である。
【図２】図１の放電灯点灯装置に装着される放電灯を説明する図である。
【図３（ａ）】第１の高周波交流電圧Ｖｏｕｔ１と第２の高周波交流電圧Ｖｏｕｔ２の波高値が同一の場合を示す図である。
【図３（ｂ）】第１の高周波交流電圧Ｖｏｕｔ１の波高値が第２の高周波交流電圧Ｖｏｕｔ２の波高値よりも大きい場合を示す図である。
【図４（ａ）】図３（ａ）の場合の放電灯１８の点灯状態を示した図である。
【図４（ｂ）】図３（ｂ）の場合の放電灯１８の点灯状態を示した図である。
【図５】並列に並べられた複数個の放電灯１８の点灯状態の一例を示した図である。
【図６】並列と直列とを組み合わせて並べられた複数個の放電灯１８の点灯状態の一例を示した図である。
【図７】複数の放電灯ユニット１２を一律に制御した場合の放電灯１８の点灯状態の一例を示した図である。
【図８（ａ）】第１の高周波交流電圧Ｖｏｕｔ１の波高値が第２の高周波交流電圧Ｖｏｕｔ２の波高値よりも大きい場合を示した図である。
【図８（ｂ）】第２の高周波交流電圧Ｖｏｕｔ２の波高値が第１の高周波交流電圧Ｖｏｕｔ１の波高値よりも大きい場合を示した図である。
【図９（ａ）】図８（ａ）の場合の放電灯１８の点灯状態を示した図である。
【図９（ｂ）】図８（ｂ）の場合の放電灯１８の点灯状態を示した図である。
【図１０】並列に並べられた複数個の放電灯１８の点灯状態の一例を示した図である。
【図１１】並列と直列とを組み合わせて並べられた複数個の放電灯１８の点灯状態の一例を示した図である。
【図１２】複数の放電灯ユニット１２を一律に制御した場合の放電灯１８の点灯状態の一例を示した図である。
【符号の説明】
【００４０】
１０    放電灯点灯装置
１４    制御部
１６    入力部
１８    放電灯
３０    第１の駆動部
３２    第２の駆動部
【図１】
0004697537.tif 000002
【図２】
0004697537.tif 000003
【図３（ａ）】
0004697537.tif 000004
【図３（ｂ）】
0004697537.tif 000005
【図４（ａ）】
0004697537.tif 000006
【図４（ｂ）】
0004697537.tif 000007
【図５】
0004697537.tif 000008
【図６】
0004697537.tif 000009
【図７】
0004697537.tif 000010
【図８（ａ）】
0004697537.tif 000011
【図８（ｂ）】
0004697537.tif 000012
【図９（ａ）】
0004697537.tif 000013
【図９（ｂ）】
0004697537.tif 000014
【図１０】
0004697537.tif 000015
【図１１】
0004697537.tif 000016
【図１２】
0004697537.tif 000017